(57)【特許請求の範囲】
【請求項１】
長尺の上板を備え適宜な剛性を有する薄肉軽量構造で形成され、前記上板の下面に突設されて左右両側に長手方向に適宜の間隔で天井パネルを支える複数の野縁の一端を水平に交叉して平行に嵌設するための溝部を有するとともに、前記上板の長手方向中央に沿って天井スラブに固定するためのネジ部材が貫通する複数の開口部を有する複数個のダブルランナーと、
ダブルランナーの開口部の下部に覆設されて、前記ネジ部材が貫通する開口部を有しダブルランナーを取付けるためのジョイント部材と、
ジョイント部材の開口部の上部に天井スラブとの間に挟設されて、その両方向に付勢する付勢部材とを備え、
前記ネジ部材によりジョイント部材を介して、天井スラブに適宜の間隔で前記ダブルランナーが平行に配置され、ダブルランナーの下面レベルを水平に合せる不陸調整を行って固設されたことを特徴とする天井パネル支持構造。
【請求項２】
前記野縁は、少なくとも下面が平坦構造を有し、適宜な剛性を有する薄肉軽量形部材であることを特徴とする請求項１に記載の天井パネル支持構造。
【請求項３】
前記野縁は、薄肉四角断面形中空部材であることを特徴とする請求項１に記載の天井パネル支持構造。
【請求項４】
前記請求項１乃至請求項３に記載の天井パネル支持構造を用いて、天井パネルを取付ける天井パネル施工方法において、
端部を天井サイズに合せカット調整した前記複数のダブルランナーをネジ部材によりジョイント部材を介して、天井スラブに適宜の間隔で平行に配置し、下面レベルを水平に合せる不陸調整を行って固設するダブルランナー取付け工程と、
固設された各ダブルランナーの左右の溝部に適宜の間隔で水平に交叉し橋渡しして平行に前記複数の野縁の両端部を差込み嵌設する野縁取付け工程と、
前記野縁に順次天井パネルを全面的に固設する天井パネル取付け工程とを含むことを特徴とする天井パネル施工方法。
【発明の詳細な説明】
【０００１】
【発明の属する技術分野】
本発明は、天井スラブに取付けられる天井パネルを支える天井パネル支持構造とその施工方法に関する。
【０００２】
【従来の技術】
従来の天井パネル支持構造は、一般的に図５に示すように、天井パネル３０を取付けるための野縁７を支える野縁受け６がハンガー５に支持されて、例えば、天井スラブ１内に埋設された天井インサート（埋設金物）２の内径ネジ部２ａに螺着された吊りボルト３に上下２つのナット４を介して固設されている。
この場合、野縁７は下面のレベルを水平に合せる不陸調整を行って天井スラブ１に一本ずつ取付けられ、その後、天井パネル３０を順次全面的に野縁７に固設する構成となっている。
【０００３】
【発明が解決しようとする課題】
このような従来の技術には、下記の問題点があった。
（１）最近、マンションなどの天井を高くしたいとの要求が強まっているが、軽量鋼材による天井下地を組む場合、野縁の上に野縁受けやハンガーなどが吊りボルトによって固設される構造のため天井スラブから天井パネル下面までの距離、すなわち天井ふところが、一般的に１００〜１２０ｍｍ程度と大きく、その分天井を高く構成できない問題があった。
（２）一般的には、野縁のスパンが２ｍであり、スパンが２ｍを超える場合、野縁の接合及び不陸調整が煩雑であり、困難であった。
（３）上記に加え、野縁を一本ずつ不陸調整しながら天井スラブに取付けるため、天井パネル施工の手間がかかり、施工コストが嵩むという欠点があった。
【０００４】
これらの問題点を解決すべく、本発明の目的は、天井ふところが小さく、野縁の接合及びレベル調整が容易で、簡易な構造で天井パネルの施工性がよい天井パネル支持構造とその施工方法を提供することにある。
【０００５】
【課題を解決するための手段】
本発明は、前記問題を解決するために、長尺の上板を備え適宜な剛性を有する薄肉軽量構造で形成され、前記上板の下面に突設されて左右両側に長手方向に適宜の間隔で天井パネルを支える複数の野縁の一端を水平に交叉して平行に嵌設するための溝部を有するとともに、前記上板の長手方向中央に沿って天井スラブに固定するためのネジ部材が貫通する複数の開口部を有する複数個のダブルランナーと、ダブルランナーの開口部の下部に覆設されて、前記ネジ部材が貫通する開口部を有しダブルランナーを取付けるためのジョイント部材と、ジョイント部材の開口部の上部に天井スラブとの間に挟設されて、その両方向に付勢する付勢部材とを備え、前記ネジ部材によりジョイント部材を介して、天井スラブに適宜の間隔で前記ダブルランナーが平行に配置され、ダブルランナーの下面レベルを水平に合せる不陸調整を行って固設されたことを特徴とする。
【０００６】
また、前記野縁は、少なくとも下面が平坦構造を有し、適宜な剛性を有する薄肉軽量形部材であることを特徴とする。
【０００７】
また、前記野縁は、薄肉四角断面形中空部材であることを特徴とする。
【０００８】
さらに、前記請求項１乃至請求項３に記載の天井パネル支持構造を用いて、天井パネルを取付ける天井パネル施工方法において、端部を天井サイズに合せカット調整した前記複数のダブルランナーをネジ部材によりジョイント部材を介して、天井スラブに適宜の間隔で平行に配置し、下面レベルを水平に合せる不陸調整を行って固設するダブルランナー取付け工程と、固設された各ダブルランナーの左右の溝部に適宜の間隔で水平に交叉し橋渡しして平行に前記複数の野縁の両端部を差込み嵌設する野縁取付け工程と、前記野縁に順次天井パネルを全面的に固設する天井パネル取付け工程とを含むことを特徴とする。
【０００９】
【発明の実施の形態】
以下、本発明に係る好ましい一実施の形態について、添付図面を参照し詳細に説明する。
図１は、本発明に係る一実施の形態による天井パネル支持構造の部分断面図である。
本発明の一実施の形態による天井パネル支持構造は、長尺の上板１１を備え充分な剛性を有する薄肉軽量構造で形成され、上板１１の下面に突設されて図２に示したように、左右両側に長手方向に適宜の間隔で天井パネル３０を支える複数の野縁２０の一端を水平に交叉して平行に嵌設するための溝部１２ａ、１３ａを有するとともに、上板１１の長手方向中央に沿って天井スラブ１に固定するためのネジ部材１５が貫通する複数の開口部１１ａを有する複数個のダブルランナー１０と、ダブルランナー１０の開口部１１ａの下部に覆設されて、ネジ部材１５が貫通する開口部１４ａを有するダブルランナー１０を取付けるためのジョイント部材１４と、ジョイント部材１４の開口部１４ａの上部に天井スラブ１との間に挟設されて、天井スラブ１及びジョイント部材１４の両方向に付勢する付勢部材１７とを備えている。
【００１０】
溝部１２ａ、１３ａは、例えば、肉厚０．６ｍｍ、幅１７０ｍｍ強、長さ３ｍ程度の上板１１と上板１１の下面左右両側に長手方向に沿って突設され、それぞれ逆Ｌ字及びＬ字型断面に曲折された例えば肉厚０．６ｍｍ、高さ２１ｍｍ程度の板状の野縁支持部１２、１３とで囲まれ、それぞれ左右の各一面側が開口した状態で構成されている。
上板１１と野縁支持部１２、１３とは、分割取付け型としてもよいが、部材数や組立て手数を削減するためにも一体に形成する方が望ましい。
【００１１】
野縁２０は、少なくとも下面が平坦構造を有し、適宜な剛性を有する薄肉軽量形部材から構成されている。
野縁２０は、できれば、図３に示すように、例えば、高さ２０ｍｍ、横幅４０ｍｍ、肉厚０．５ｍｍ程度の薄肉中空材である角スタッドなどの薄肉四角断面形中空部材であることが望ましい。
【００１２】
また、ネジ部材１５は、例えば、天井スラブ１内に埋設された天井インサート（埋設金物）２の内径ネジ部２ａに螺着されている。
ダブルランナー１０及びジョイント部材１４の開口部１１ａ及び１４ａは、天井インサート２の位置ずれに対応するため、ネジ部材１５の外径に対して水平面内に充分な調整代（例えば±２５ｍｍ程度）を有するような大きさに構成されている。
そして、ネジ部材１５によりジョイント部材１４及び付勢部材１７を介して、天井スラブ１に野縁２０の長さ（例えば、２ｍ程度）をカバーするよう適宜の間隔（例えば、中心間２ｍピッチ）でダブルランナー１０が平行に配設されている。
【００１３】
ジョイント部材１４は、図１に示すように、開口部１４ａがある中央部が凹部状に曲折して形成されている。
また、さらに強度及び剛性が必要な場合には、ジョイント部材１４は、図４に示すように、野縁支持部１２及び１３の相互に向き合うようにそれぞれ内側横向きに突設された支持部１２ｂ及び１３ｂ上に配置された略Ｕ字形断面などの剛性の大きい断面形状の金物部材とすることが望ましい。
支持部１２ｂ及び１３ｂは、ジョイント部材１４をダブルランナー１０とともにネジ部材１５に固定するまでの間仮置きして支持し、ジョイント部材１４の落下を防止することもできる。
なお、必要に応じて、ジョイント部材１４をダブルランナー１０と一体化することもできる。
【００１４】
天井スラブ１の下面は、一般的には、平均１０ｍｍ程度内、稀には１５〜２０ｍｍ程度の撓みが生ずることがあり必ずしも水平でないため、ネジ部材１５の取付け長さを調整することにより全てのダブルランナー１０は、下面レベルを水平に合せる不陸調整を行って固設される。
このとき、付勢部材１７が適宜な付勢力により常にジョイント部材１４を介してダブルランナー１０を下方に付勢するため、前記従来のようなダブルナット４を使用しなくても１つのナット状などの係止部１５ａを有するネジ部材１５だけでワンタッチにダブルランナー１０を固定し、ネジ部材１５の緩み止め及びダブルランナー１０の揺れ止めが行われる。
このような構成によって、施工作業の省力化が図られている。
【００１５】
次に、前記本発明に係る一実施の形態による天井パネル支持構造を用いて、天井パネルを取付ける天井パネル施工方法について説明する。
まず初めに、第１の工程は、端部を天井サイズに合せカット調整した複数のダブルランナー１０をネジ部材１５によりジョイント部材１４及び付勢部材１７を介して、天井スラブ１に適宜の間隔（例えば、２ｍピッチ）で平行に配置し、全ダブルランナー１０の下面レベルを水平に合せる不陸調整を行って固設するダブルランナー取付け工程である。
【００１６】
引続いて、第２の工程は、固設された各ダブルランナー１０の左右の溝部１２ａ、１３ａに適宜の間隔（例えば、３００ｍｍ強のピッチ）で水平に交叉し橋渡しして平行に複数の野縁２０の両端部を差込み嵌設する野縁取付け工程である。
【００１７】
最後に、第３の工程は、野縁２０に順次天井パネル３０を全面的に固設する天井パネル取付け工程である。
【００１８】
【発明の効果】
以上、詳細に説明した本発明による天井パネル支持構造は、軽量鋼材による天井下地を組む場合、下記の通り従来にない優れた効果を奏する。
（１）架高が低い（例えば２０ｍｍ強の）ダブルランナー内の左右溝部に例えば２０ｍｍ高さの野縁を嵌設して天井スラブ下方の例えば１０ｍｍ弱にダブルランナーの上面を配置した状態で、ネジ部材により固設するため、天井ふところを例えば従来の１００〜１２０ｍｍ程度から４０ｍｍ程度に小さくすることができる。これによって、天井高さをその分高く構成することが可能である。
（２）野縁は、その長さが例えば２ｍが基準であるが、野縁の接合も容易に可能であり、先にレベル調整されて配設されたダブルランナー内の左右溝部に野縁の両端部を差込むだけで一切のレベル調整が不要である。
（３）天井インサートの位置ずれに対しても、ダブルランナーの開口部がネジ部材１５の外径に対して水平面内に充分な調整代（例えば±２５ｍｍ程度）を有するため、ダブルランナーを容易に前記所定のピッチで配置でき、さらに、付勢部材１７を介してネジ部材でワンタッチに固設することができる。
（４）以上の特に前記（２）及び（３）の構成によって、天井パネルの施工手数が大幅に削減され、施工時間が短縮されるとともにコスト的にも有利である。
【図面の簡単な説明】
【図１】本発明に係る一実施の形態による天井パネル支持構造の部分断面図である。
【図２】図１のＡ−Ａ矢視、平面図である。
【図３】薄肉形金物部材の断面図である。
【図４】本発明に係る他の実施の形態による天井パネル支持構造の部分断面図である。
【図５】従来の天井パネル支持構造の部分断面図である。
【符号の説明】
１        天井スラブ
１ａ      スラブ底
２        天井インサート（埋設金物）
２ａ      内径ネジ部
３        吊りボルト
４        ナット
５        ハンガー
６        野縁受け
７、２０  野縁
１０      ダブルランナー
１１      上板
１１ａ、１４ａ  開口部
１２、１３  野縁支持部
１２ａ、１３ａ  溝部
１２ａ、１３ｂ  支持部
１４      ジョイント部材
１５      ネジ部材
１５ａ    係止部
１６      座金
１７      付勢部材
３０      天井パネル
【図１】
0004729691.tif 000002
【図２】
0004729691.tif 000003
【図３】
0004729691.tif 000004
【図４】
0004729691.tif 000005
【図５】
0004729691.tif 000006